(57)【要約】【課題】ユーザーの視聴状況などの周囲の状況に応じ、配置場所を柔軟に変更し、無線通信機能により、映像音声情報を再生して、表示装置で視聴可能にするＡＶラックを提供する。【解決手段】少なくとも１台以上のＡＶ機器を筐体の内部に収納可能なＡＶラック１００であって、筐体の外底部に３個以上の球状または円板状の可動部材を用いたキャスタ１０１が所定の位置に固定されて筐体を移動可能にし、制御手段により、キャスタ１０１を制御し、ＡＶラック１００を適した位置に移動する。【選択図】図１
2009233258.tif 000002
【特許請求の範囲】
【請求項１】
映像音声再生機器を収納するＡＶラックにおいて、
ＡＶラックを移動するためにＡＶラック下部に取り付けられた移動手段と、
前記移動手段を駆動するための駆動手段と、
無線による制御データを送受信するための無線伝送手段と、
前記無線伝送手段によって入力された制御データに従い、前記駆動手段を制御する制御手段とを少なくとも具備することを特徴とするＡＶラック。
【請求項２】
前記制御データは移動方向を示す情報であり、前記制御手段は入力された制御データが示す移動方向にＡＶラックが移動するように前記駆動手段を制御することを特徴とする請求項１に記載のＡＶラック。
【請求項３】
前記制御データは、リモコンより入力され、前記リモコンを操作することにより、移動方向が指定されることを特徴とする請求項２に記載のＡＶラック。
【請求項４】
さらに、ＡＶラックに収納される機器、前記駆動手段、前記無線伝送手段、前記制御手段に電力を供給するための電源ケーブルを具備し、移動時に電源供給場所に近づくに従い、電源ケーブルを巻き取ることを特徴とする請求項１乃至３に記載のＡＶラック。
【請求項５】
前記制御データはＡＶラックに収納された機器の使用、もしくは未使用を示す情報であることを特徴とする請求項１乃至４に記載のＡＶラック。
【請求項６】
前記制御データはＡＶラックに収納された機器を制御するための情報であることを特徴とする請求項１乃至４に記載のＡＶラック。
【請求項７】
予め設定された使用時の位置および未使用時の位置の間を移動することを特徴とする請求項１乃至６に記載のＡＶラック。
【請求項８】
前記使用時の位置および前記未使用時の位置の少なくとも一方には、給電するための装置が設置されることを特徴とする請求項７に記載のＡＶラック。
【請求項９】
さらに、バッテリを具備し、バッテリからの電力供給で移動することを特徴とする請求項１乃至８に記載のＡＶラック。
【請求項１０】
給電装置により、バッテリが充電されることを特徴とする請求項９に記載のＡＶラック。
【請求項１１】
使用を終了した後は、自動で充電位置に移動することを特徴とする請求項１乃至１０に記載のＡＶラック。
【請求項１２】
さらに、感知手段を具備し、感知手段により得られた情報をもとに移動することを特徴とする請求項１乃至１１に記載のＡＶラック。
【請求項１３】
テレビの電源ＯＮとともに予め設定された位置に移動することを特徴とする請求項１乃至１２に記載のＡＶラック。
【請求項１４】
テレビの入力切替とともに予め設定された位置に移動することを特徴とする請求項１乃至１３に記載のＡＶラック。
【請求項１５】
ユーザーが視聴位置に近づくとともに予め設定された位置に移動することを特徴とする請求項１乃至１４に記載のＡＶラック。
【請求項１６】
ユーザーからの指示により予め設定された位置に移動することを特徴とする請求項１乃至１５に記載のＡＶラック。
【請求項１７】
前記ユーザーからの指示は、音声の指示、リモコンによる指示、ジェスチャーによる指示のうち、いずれかであることを特徴とする請求項１６に記載のＡＶラック。
【請求項１８】
センサーを具備し、移動中は障害物に衝突することを回避することを特徴とする請求項１乃至１７に記載のＡＶラック。
【請求項１９】
複数の使用位置を記憶することを特徴とする請求項１乃至１８に記載のＡＶラック。
【請求項２０】
前記無線伝送手段は、赤外線、マイクロ波、ミリ波のうち、いずれかであることを特徴とする請求項１乃至１９に記載のＡＶラック。
【発明の詳細な説明】
【技術分野】
【０００１】
本発明は、家庭等の居間に設置されて、ＨＤＤ−ＤＶＤレコーダー、ＢＤレコーダー等のＡＶ機器を収納するとともに、ＡＶ機器から再生された音声・映像（ＡＶ）信号をＴＶ等の表示装置に送るためのＡＶラックに関する。
【背景技術】
【０００２】
ＶＨＳ方式のＶＴＲやレーザーディスク等のビデオディスクプレイヤーを用いるアナログ方式のＡＶ機器が主流であった頃から、ＡＶラックシステムまたは、ＡＶラックシステムに備わるＡＶラックは、
（１）ＴＶと一体になっており、ＴＶの下部の箱状のスペースにガイドや棚板を用いてＡＶ機器収納部を設けたコンソール型と言われる構成のもの、
（２）ＴＶを載置するためのＴＶと分離可能な箱状の台にガイドや棚板を用いてＡＶ機器を収納するためのスペースを設けた、いわゆるＴＶ台兼用の構成のもの、
（３）ガイドや棚板を用いてＡＶ機器を収納するためのスペース設けた箱状の独立した単体構成のもの、
という３種類に分類できる。いずれの構成のＡＶラックも固定式であって、各機器の設置後に移動させることはほとんどなく、また、ＡＶラックに収納されたＡＶ機器とＴＶとの間は音声・映像信号を伝送する信号ケーブルを結線する必要があった。ＴＶおよびＡＶ機器の背部にあるコネクタと信号ケーブルを接続するための結線作業は、各機器の取り扱い説明書を見ながら行う必要があり、このような作業に慣れていない通常のユーザーにとっては煩雑なものであった。
【０００３】
煩雑なＡＶ機器とＴＶとの結線作業を解消するために、箱型のラック部およびＡＶ機器それぞれに信号線接続のためのコネクタを設けて、複数のＡＶ機器を収納し、配線作業を容易にするＡＶラックが提案されている（例えば、特許文献１参照）。このような従来のＡＶラックの構造の一例を図５に断面図で示した。
【０００４】
図５に示したＡＶラック５０１は、上記の（２）または（３）の構成に相当し、ＶＴＲ、ビデオディスクプレイヤーやＤＶＤレコーダー等のＡＶ機器５２１等が前面から出し入れできるように箱型をして、側板５１１の内側にＡＶ機器５２１を保持するためのガイド部５１２を設け、ガイド部５１２単位で電源ラインとともに信号伝達のためのバスライン５１３が接続される多ピン構成の複数個のコネクタ５１４を、後部あるいは側板５１１内面の縦方向に並列的に配置し、この配置したコネクタ５１４に接続可能な別のコネクタ５２２が背面側に設けられたＡＶ機器５２１を１台あるいは複数台のそれぞれのガイド部５１２に沿って矢印５２３の方向に挿入することにより必要な電源および信号線の接続を可能にしている。
【特許文献１】特開平２−２４６４００号公報（第１頁、図３）
【発明の開示】
【発明が解決しようとする課題】
【０００５】
しかしながら、上述した従来のＡＶラックは、ＴＶの直近に配置されるので、ＡＶラックに収納されるＡＶ機器をリモコンでは操作できない調整等の操作や、各種ディスク等のＡＶメディアの出し入れをするときは、その都度、ＴＶの直近でＡＶラックが配置されている場所までユーザーが移動する必要があって煩わしかった。
【０００６】
また、現在ＴＶが薄型化し、壁にＴＶを設置することが増加しており、ＴＶとＡＶラック間の配線により、美観を損ねるという課題を有していた。
【０００７】
本発明は、前記従来の課題を解決するもので、無線を用いてＴＶとＡＶラック間の配線を無くすことを目的とする。
【課題を解決するための手段】
【０００８】
前記従来の課題を解決するために、第１の発明に係るＡＶラックは、映像音声再生機器を収納するＡＶラックにおいて、ＡＶラックを移動するためにＡＶラック下部に取り付けられた移動手段と、前記移動手段を駆動するための駆動手段と、無線による制御データを送受信するための無線伝送手段と、前記無線伝送手段によって入力された制御データに従い、前記駆動手段を制御する制御手段とを少なくとも具備することを特徴とする。
【０００９】
またさらに、前記制御データは移動方向を示す情報であり、前記制御手段は入力された制御データが示す移動方向にＡＶラックが移動するように前記駆動手段を制御することを特徴とする。
【００１０】
またさらに、リモコンを操作することにより、移動方向が指定されることを特徴とする。
【００１１】
またさらに、ＡＶラックに収納される機器、駆動手段、無線伝送手段、制御手段に電力を供給するための電源ケーブルを具備し、移動時に電源供給場所に近づくに従い、電源ケーブルを巻き取ることを特徴とする。
【００１２】
またさらに、前記制御データはＡＶラックに収納された機器の使用、もしくは未使用を示す情報であることを特徴とする。
【００１３】
またさらに、前記制御データはＡＶラックに収納された機器を制御するための情報であることを特徴とする。
【００１４】
またさらに、予め設定された使用時の位置および未使用時の位置の間を移動することを特徴とする。
【００１５】
またさらに、２つの位置の少なくとも一方には、給電するための装置が設置されることを特徴とする。
【００１６】
またさらに、バッテリを具備し、バッテリからの電力供給で移動することを特徴とする。
【００１７】
またさらに、給電装置により、バッテリが充電されることを特徴とする。
【００１８】
またさらに、使用を終了した後は、自動で充電位置に移動することを特徴とする。
【００１９】
またさらに、感知手段を具備し、感知手段により得られた情報をもとに移動することを特徴とする。
【００２０】
またさらに、テレビの電源ＯＮとともに予め設定された位置に移動することを特徴とする。
【００２１】
またさらに、テレビの入力切替とともに予め設定された位置に移動することを特徴とする。
【００２２】
またさらに、ユーザーが視聴位置に近づくとともに予め設定された位置に移動することを特徴とする。
【００２３】
またさらに、ユーザーからの指示により予め設定された位置に移動することを特徴とする。
【００２４】
またさらに、ユーザーからの指示は、音声の指示、リモコンによる指示、ジェスチャーによる指示のうち、いずれかであることを特徴とする。
【００２５】
またさらに、センサーを具備し、移動中は障害物に衝突することを回避することを特徴とする。
【００２６】
またさらに、複数の使用位置を記憶することを特徴とする。
【００２７】
またさらに、前記無線伝送手段は、赤外線、マイクロ波、ミリ波のうち、いずれかであることを特徴とする。
【００２８】
本構成によって、ＡＶラックを必要なときに適した場所に移動することが可能となるとともに不要なときに部屋の隅などの邪魔にならない場所に移動することが自動もしくは簡単な操作で可能となる。
【発明の効果】
【００２９】
本発明に係るＡＶラックによれば、テレビ周りの配線を取り除くことが出来るとともにユーザーの利便性の向上を図ることができる。
【発明を実施するための最良の形態】
【００３０】
以下、本発明に係る第１の実施形態について図面を参照して説明する。
【００３１】
（第１の実施形態）
図１は本発明の第１の実施形態におけるＡＶラックの構成の一例を示す図、図２は本発明の第１の実施形態におけるＡＶラックの構成の一例を示すブロック図、図３は本発明の第１の実施形態におけるリモコンの構成の一例を示す図である。なお、図１、図２においては、同じ構成要素には重複を避けるため同じ符号を付している。
【００３２】
最初に、図１〜図３を参照しながら、本発明の第１の実施形態に係るＡＶラックの構成について説明する。図１において、ＡＶラック１００はＡＶ機器を収納するためのＡＶラックであり、家庭においてＴＶ等の表示装置が設置された居室等の部屋に配置される。また、ＡＶ機器２００及び２０１はＤＶＤプレーヤー／レコーダー、Ｂｌｕ―ｒａｙプレーヤー／レコーダー、セットトップボックス、ＡＶアンプ、ゲーム機などのＡＶ機器である。ＡＶ機器２００及び２０１はＡＶラック１００に収納される。なお、本実施形態においては、ＡＶ機器の数を２としているが、ＡＶ機器の数は２に限定されない。また、ＡＶラック１００は無線送受信アンテナ１０５を筐体の側面、もしくは上面に装備しており、無線送受信アンテナ１０５を用いてＴＶと無線接続される。また、リモコン３００は、ＡＶラック１００を操作するためのリモコンである。
【００３３】
図３において、無線伝送手段３０１は、赤外線や電波などの無線信号をＡＶラック１００に対して送信するための無線伝送手段であり、方向キー３０２は、選択肢の選択や方向の指定をするための方向キーであり、ボタン３０３は選択肢の決定、キャンセルなどを指示するためのボタンである。ボタン３０３には、その他に、ＴＶに表示する映像を出力するＡＶ機器を選択するための入力切替ボタンなどを追加することも可能である。無線伝送手段３０１から送信された信号は、ＡＶラック１００の無線伝送手段１０４によって受信される、もしくは無線伝送手段１０４とは異なる図示していない無線伝送手段により受信される。例えば、無線伝送手段１０４においてミリ波を用い、リモコン３００とＡＶラック１００との間の通信には赤外線を用いる場合が考えられる。
【００３４】
本発明の実施の形態におけるＡＶラック１００のラック部には、箱状の筐体の前面側から各種のＡＶ機器の出し入れができ、かつ、内部仕切り用の棚板や側板部に設けられたガイド部材を用いて設置することで収納可能なＡＶラックを用いている。居室等の部屋に配置されたＴＶ等の表示装置で放送番組やディスク等の媒体に記録された映画等のコンテンツを再生して見るとき、一般にユーザーは表示装置の画面から離れた位置でソファー等に座ったままで、ＴＶ放送の番組のチャンネルの切り替え、音量や映像輝度等の表示状態の変更や、ＡＶ機器で再生されるコンテンツの切り替え等の操作を、リモコンを用いて行っている。ＡＶラックの箱状の筐体の底部には移動手段として３個以上のキャスタが所定の位置に取り付けられて、移動可能で、ロケーションフリーになっている。ユーザーが座る場所から手の届く範囲の適当な位置にＡＶラック１００を移動すれば、ユーザーはリモコンではできないＡＶ機器の操作や、ＡＶ機器へのディスク等の媒体の出し入れを、ソファーから立ち上がることなく座ったままで実行することを可能にしている。本実施の形態においては、移動手段としてキャスタを用いているが、ＡＶラックを移動できるものであれば、これに限定するものではない。
【００３５】
図２は、本発明の第１の実施形態に係るＡＶラック１００の構成の一例を示す図である。図２において、キャスタ１０１はＡＶラック１００の下部に設置され、ＡＶラック１００を移動させるためのキャスタであり、駆動手段１０２はキャスタ１０１の駆動、及びキャスタ１０１の方向を変更するための駆動手段であり、制御手段１０３は駆動手段１０２を制御するための手段であり、無線伝送手段１０４は無線伝送路を介して制御データを伝送するための無線伝送手段であり、有線伝送手段１０６は有線伝送路を介して制御データを伝送するための有線伝送手段である。有線伝送手段１０６は、有線ケーブルを接続するインターフェースを具備している。無線伝送手段１０４には、アンテナ１０５が接続されており、アンテナ１０５を介して電波の送受信を行う。また、無線伝送手段１０４で用いる無線伝送方式の種類としては、ミリ波、マイクロ波、赤外線などが利用可能であり、有線伝送手段１０６で用いる有線インターフェースの種類としては、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、コンポーネント、コンポジット、Ｓ端子、Ｄ端子などが利用可能である。
【００３６】
ＡＶラック１００に収納されたＡＶ機器２００及び２０１の出力端子はＡＶラック１００の有線伝送手段１０６に接続される。例えば、ＡＶ機器２００及び２０１のＨＤＭＩ出力端子とＡＶラック１００の有線伝送手段１０６に備えられたインターフェースがＨＤＭＩケーブルによって接続される。ＡＶ機器２００及び２０１から出力された映像、音声信号及び制御信号は、有線伝送手段１０６から無線伝送手段１０４に出力され、アンテナ１０５を介してＴＶに伝送される。伝送された映像、音声信号は、本実施形態では図示していないＴＶの無線伝送手段によって受信され、ＴＶに表示される。また、伝送された制御信号は、ＴＶの無線伝送手段によって受信され、ＴＶの制御が行われる。例えば、ＴＶの制御には、ＨＤＭＩ規格で規定されているＣＥＣを用いる。
【００３７】
図４は、本発明の第１の実施形態に係るＡＶラック１００の制御手段１０３の動作手順の一例を示す流れ図である。制御手段１０３は、ステップＳ４０１において、無線伝送手段１０４もしくは有線伝送手段１０６から制御データが入力される、もしくは感知手段１０７から検出信号が入力される。その後、制御手段１０３はステップＳ４０２に進み、入力された制御データ、もしくは検出信号に基づいて、ＡＶラック１００の移動が必要であるか否かを判断する。ＡＶラックの移動が必要である場合、ステップＳ４０３に進み、駆動手段１０２に制御信号を出力する。一方、ＡＶラックの移動が必要でない場合、処理を終了する。以下に上記制御手段１０３の処理の具体例を説明する。
【００３８】
ＡＶラック１００はリモコン３００、もしくはＴＶからの制御データを無線伝送手段１０４において受信する。制御データの伝送には、赤外線、マイクロ波、ミリ波などが用いられる。また、リモコン３００及びＴＶからの制御データには、ＡＶラック１００の移動方向を示す情報が含まれる。ＡＶラック１００の無線伝送手段１０４によって受信された制御データは制御手段１０３に送信され、制御手段１０３はリモコン３００及びＴＶから送信された制御データに含まれる移動方向を示す情報に従い、駆動手段１０２を制御する。これにより、キャスタ１０１が動作し、ＡＶラック１００が移動する。例えば、リモコン３００には、矢印キー３０２が配置されており、ユーザーは矢印キー３０２を押下することにより、ＡＶラック１００を移動させることができる。また、ＴＶのグラフィックユーザーインターフェース（ＧＵＩ）を通して、ＡＶラック１００を移動させることも可能である。例えば、ＴＶのＧＵＩに矢印を表示し、矢印を選択することで操作することや、ＴＶのＧＵＩ上で移動方向や移動距離などを指定して操作することが可能である。
【００３９】
ＡＶラック１００には図示されていない電源ケーブルが具備されており、ＡＶラック１００の移動に伴い、電源ケーブルが歩行等の邪魔にならないように電源ケーブルを巻き取る、もしくは、延長する機構が備わっていてもよい。
【００４０】
制御データには、ＡＶラック１００に収納されたＡＶ機器の使用、もしくは未使用を示す情報が含まれる場合も考えられる。その場合、制御手段１０３には、使用時のＡＶラック１００の位置、及び未使用時のＡＶラック１００の位置が記憶される。例えば、ユーザーが一度ＡＶラック１００の移動をリモコン３００によって指示した後、ＡＶラック１００の制御手段１０３において、移動前の位置（使用時の位置）と移動後の位置（未使用時の位置）を記憶することが可能である。
【００４１】
制御手段１０３は、ＡＶラック１００に収納されたＡＶ機器の使用を示す情報を受信した場合、記憶している使用時のＡＶラック１００の位置にＡＶラック１００を移動させるように駆動手段１０２を駆動する。これにより、キャスタ１０１が動作し、ＡＶラック１００が使用時の位置に移動する。また、制御手段１０３は、ＡＶラック１００に収納された機器の未使用を示す情報を受信した場合、記憶している未使用時のＡＶラック１００の位置にＡＶラック１００を移動させるように駆動手段１０２を駆動する。これにより、キャスタ１０１が動作し、ＡＶラック１００が未使用時の位置に移動する。
【００４２】
ＡＶラック１００にはバッテリ１０８が装備され、ＡＶラック１００の移動中はバッテリ１０８による電力供給により（図示せず）、各手段を動作させることも可能である。ＡＶ機器２００及び２０１やバッテリ１０８に電力を供給するために、移動前の位置および移動後の位置の少なくとも一方には電源供給が可能な設備が備えられる。
【００４３】
ＡＶラック１００には感知手段１０７が装備され、感知手段１０７から取得した情報により、使用時のＡＶラック１００の位置、及び未使用時のＡＶラック１００の位置にＡＶラック１００を移動することも可能である。感知手段１０７には、赤外線センサー、マイク、カメラなどが使用される。例えば、感知手段１０７において、ユーザーが視聴位置に近づいたことを検出したとき、制御手段１０３は使用時のＡＶラック１００の位置にＡＶラック１００を移動させるように駆動手段１０２を駆動する。これにより、キャスタ１０１が動作し、ＡＶラック１００が使用時の位置に移動する。また、感知手段１０７において、ユーザーが視聴位置から離れたことを検出したとき、制御手段１０３は未使用時のＡＶラック１００の位置にＡＶラック１００を移動させるように駆動手段１０２を駆動する。これにより、キャスタ１０１が動作し、ＡＶラック１００が未使用時の位置に移動する。
【００４４】
また、ＴＶの電源の状態により、使用時のＡＶラック１００の位置、及び未使用時のＡＶラック１００の位置にＡＶラック１００を移動することも可能である。例えば、無線伝送手段１０４において、ＴＶの電源がＯＮになったことを示す情報を受信したとき、制御手段１０３は使用時のＡＶラック１００の位置にＡＶラック１００を移動させるように駆動手段１０２を駆動する。これにより、キャスタ１０１が動作し、ＡＶラック１００が使用時の位置に移動する。また、無線伝送手段１０４において、ＴＶの電源がスタンバイになったことを示す情報を受信したとき、制御手段１０３は未使用時のＡＶラック１００の位置にＡＶラック１００を移動させるように駆動手段１０２を駆動する。これにより、キャスタ１０１が動作し、ＡＶラック１００が未使用時の位置に移動する。
【００４５】
また、ＴＶの入力切替の状態により、使用時のＡＶラック１００の位置、及び未使用時のＡＶラック１００の位置にＡＶラック１００を移動することも可能である。例えば、無線伝送手段１０４において、ＴＶの入力切替がＡＶラック１００に収納された機器に変更されたことを示す情報を受信したとき、制御手段１０３は使用時のＡＶラック１００の位置にＡＶラック１００を移動させるように駆動手段１０２を駆動する。これにより、キャスタ１０１が動作し、ＡＶラック１００が使用時の位置に移動する。また、無線伝送手段１０４において、ＴＶの入力切替がＡＶラック１００に収納された機器以外に変更されたことを示す情報を受信したとき、制御手段１０３は未使用時のＡＶラック１００の位置にＡＶラック１００を移動させるように駆動手段１０２を駆動する。これにより、キャスタ１０１が動作し、ＡＶラック１００が未使用時の位置に移動する。
【００４６】
または、感知手段１０７において、ユーザーの音声による指示を検出したとき、使用時のＡＶラック１００の位置、及び未使用時のＡＶラック１００の位置にＡＶラック１００を移動することも可能である。使用及び、未使用を表す音声は制御手段１０３に予め登録しておくことができる。
【００４７】
または、感知手段１０７において、ユーザーのジェスチャーによる指示を検出したとき、使用時のＡＶラック１００の位置、及び未使用時のＡＶラック１００の位置にＡＶラック１００を移動することも可能である。
【００４８】
また、上記の本発明の実施形態のＡＶラック１００の説明においては、ＡＶラック１００に収納されるＡＶ機器がＡＶラック１００に内蔵された無線伝送手段１０４を経由してＴＶへ映像、音声信号を無線伝送する場合を説明した。しかしながら、ＡＶラック１００に収納されるＡＶ機器そのものが上記無線伝送手段を内蔵しており、ＡＶ機器からＴＶへ映像、音声信号を無線伝送してもよい。
【００４９】
なお、感知手段１０７によりＡＶラック１００の移動中に人や物などの障害物を検出し、制御手段１０３は検出結果に基づき、ＡＶラック１００が障害物に衝突しないように駆動手段１０２を制御することも可能である。
【００５０】
以上説明したように、本発明の実施形態におけるＡＶラック１００は、ＡＶラック１００にキャスタ等の移動可動手段及びそれを制御する制御手段が備わっていて、必要なときにＡＶラック１００を適した場所に移動でき、さらに、ＡＶラック１００には映像、音声信号の通信を可能にする無線通信手段が組み込まれ、同時にＴＶ等の表示装置にも映像、音声信号の通信を可能にする無線通信手段を配設しているので、ユーザーはその所在場所の近傍に移動したＡＶラックに収納した各種ディスク等のＡＶメディアの再生手段を手元で操作して、無線を介してそれぞれの映像・音声情報を再生して、ＴＶ等の表示装置で視聴することができる。
【産業上の利用可能性】
【００５１】
本発明は、移動手段が備わってロケーションフリーであり、超高速の無線通信ができるので、ユーザーが所在場所の近傍に移動して、収納したＢＤディスク等のＡＶメディアの再生手段を手元で操作して、無線を介して映像・音声信号を再生して、表示装置で視聴可能にするためのＡＶラックに用いて利用価値の高いものである。
【図面の簡単な説明】
【００５２】
【図１】本発明の実施形態におけるＡＶラックの構成の一例を示す図
【図２】本発明の実施形態におけるＡＶラックの構成を概略的に示すブロック図
【図３】本発明の実施形態におけるリモコンの構成の一例を示す図
【図４】本発明の実施形態における制御手段の動作手順の一例を示す流れ図
【図５】従来のＡＶラックの構造の一例を示す断面図
【符号の説明】
【００５３】
１００  ＡＶラック
１０１  キャスタ
１０２  駆動手段
１０３  制御手段
１０４  無線伝送手段
１０５  アンテナ
１０６  有線伝送手段
１０７  感知手段
１０８  バッテリ
２００、２０１  ＡＶ機器
３００  リモコン
３０１  無線伝送手段
３０２  方向キー
３０３  ボタン
【図１】
2009233258.tif 000003
【図２】
2009233258.tif 000004
【図３】
2009233258.tif 000005
【図４】
2009233258.tif 000006
【図５】
2009233258.tif 000007